(57)【要約】本開示は、無線充電装置の制御方法、制御装置及び無線充電装置に関するものであり、前記の方法は、端末が送信した電力調整値を受信するステップと、電力調整値に基づいて、無線交流電力信号の出力電圧と出力周波数の中の少なくとも１つに対して調整して、無線交流電力信号の出力電力を調整するステップと、を含む。本公開の実施例で提供される無線充電装置の制御方法、制御装置及び無線充電装置は、端末のバッテリー負荷電力の変化の要求を満足するとともに、端末に対して無線充電する効率を確保し、大きい電力の充電する過程で端末が発熱することを避けることができ、適用範囲が広いです。【選択図】図２
2021510052.tif 000002
【特許請求の範囲】
【請求項１】
無線充電装置に応用され、充電器から提供される直流電力信号を無線交流電力信号に変換して、端末に対して無線充電する無線充電装置の制御方法であって、
前記端末が送信する電力調整値を受信し、前記電力調整値は、端末が受信された無線交流電力信号の実際電圧と目標電圧との間の差を示すステップと、
前記電力調整値に基づいて、前記無線交流電力信号の出力電圧と出力周波数の中の少なくとも一つを調整して、前記無線交流電力信号の出力電力を調整するステップと、を含むことを特徴とする無線充電装置の制御方法。
【請求項２】
前記電力調整値に基づいて、前記無線交流電力信号の出力電圧と出力周波数の中の少なくとも一つを調整して、前記無線交流電力信号の出力電力を調整するステップは、
前記電力調整値が前記実際電圧が前記目標電圧より小さいことを示す場合、前記電力調整値に基づいて、前記無線交流電力信号の出力電圧と出力周波数の中の少なくとも一つを調整して、前記無線交流電力信号の出力電力を向上させるステップと、
前記電力調整値が前記実際電圧が前記目標電圧より大きいことを示す場合、前記電力調整値に基づいて、前記無線交流電力信号の出力電圧と出力周波数の中の少なくとも一つを調整して、前記無線交流電力信号の出力電力を低下させるステップと、を含むことを特徴とする請求項１に記載の無線充電装置の制御方法。
【請求項３】
前記電力調整値に基づいて、前記無線交流電力信号の出力電圧と出力周波数の中の少なくとも一つを調整するステップは、
前記電力調整値が前記実際電圧が前記目標電圧より小さいことを示し、且つ前記無線交流電力信号の出力電圧が電圧限界値より小さい場合、前記無線交流電力信号の出力電圧を向上させるステップと、
前記電力調整値が前記実際電圧が前記目標電圧より小さいことを示し、且つ前記無線交流電力信号の出力電圧が電圧限界値と同じである場合、前記無線交流電力信号の出力周波数を低下させるステップと、
前記電力調整値が前記実際電圧が前記目標電圧より大きいことを示し、且つ前記無線交流電力信号の出力周波数が周波数限界値より小さい場合、前記無線交流電力信号の出力周波数を向上させるステップと、
前記電力調整値が前記実際電圧が前記目標電圧より大きいことを示し、且つ前記無線交流電力信号の出力周波数が周波数限界値と同じである場合、前記無線交流電力信号の出力電圧を低下させるステップと、の中の少なくとも一つのステップを含むことを特徴とする請求項１又は請求項２に記載の無線充電装置の制御方法。
【請求項４】
前記電力調整値は、数学式１で示され、
【数１】
2021510052.tif 000009
ここで、ＣＥＰｖａｌｕｅは前記電力調整値であり、Ｖｔａｒｇｅｔは前記端末が受信された無線交流電力信号の目標電圧であり、Ｖｒｅｃｔは前記端末が受信された無線交流電力信号の実際電圧であり、ａは調整係数であることを特徴とする請求項１又は請求項２に記載の無線充電装置の制御方法。
【請求項５】
前記方法は、
前記無線充電装置に降圧コンバータ回路が含まれていない場合、前記無線充電装置に接続されている充電器のタイプを確定するステップと、
確定されたタイプの充電器が電圧調整機能を備えていない場合、前記電力調整値に基づいて、前記無線交流電力信号の出力周波数とデューティサイクルの中の少なくとも一つを調整して、前記無線交流電力信号の出力電力を調整するステップと、をさらに含むことを特徴とする請求項１又は請求項２に記載の無線充電装置の制御方法。
【請求項６】
無線充電装置に応用され、充電器から提供される直流電力信号を無線交流電力信号に変換して、端末に対して無線充電する無線充電装置の制御装置であって、
前記端末が送信する電力調整値を受信し、前記電力調整値は、端末が受信された無線交流電力信号の実際電圧と目標電圧との間の差を示す調整値受信モジュールと、
前記電力調整値に基づいて、前記無線交流電力信号の出力電圧と出力周波数の中の少なくとも一つを調整して、前記無線交流電力信号の出力電力を調整する第１の制御モジュールと、を含むことを特徴とする無線充電装置の制御装置。
【請求項７】
前記第１の制御モジュールは、
前記電力調整値が前記実際電圧が前記目標電圧より小さいことを示す場合、前記電力調整値に基づいて、前記無線交流電力信号の出力電圧と出力周波数の中の少なくとも一つを調整して、前記無線交流電力信号の出力電力を向上させる電力向上サブモジュールと、
前記電力調整値が前記実際電圧が前記目標電圧より大きいことを示す場合、前記電力調整値に基づいて、前記無線交流電力信号の出力電圧と出力周波数の中の少なくとも一つを調整して、前記無線交流電力信号の出力電力を低下させる電力低下サブモジュールと、を含むことを特徴とする請求項６に記載の無線充電装置の制御装置。
【請求項８】
第１の制御モジュールは、
前記電力調整値が前記実際電圧が前記目標電圧より小さいことを示し、且つ前記無線交流電力信号の出力電圧が電圧限界値より小さい場合、前記無線交流電力信号の出力電圧を向上させる電圧上昇サブモジュールと、
前記電力調整値が前記実際電圧が前記目標電圧より小さいことを示し、且つ前記無線交流電力信号の出力電圧が電圧限界値と同じである場合、前記無線交流電力信号の出力周波数を低下させる周波数低下サブモジュールと、
前記電力調整値が前記実際電圧が前記目標電圧より大きいことを示し、且つ前記無線交流電力信号の出力周波数が周波数限界値より小さい場合、前記無線交流電力信号の出力周波数を向上させる周波数上昇サブモジュールと、
前記電力調整値が前記実際電圧が前記目標電圧より大きいことを示し、且つ前記無線交流電力信号の出力周波数が周波数限界値と同じである場合、前記無線交流電力信号の出力電圧を低下させる電圧低下サブモジュールと、の中の少なくとも一つのサブモジュールを含むことを特徴とする請求項６又は請求項７に記載の無線充電装置の制御装置。
【請求項９】
前記電力調整値は、数学式１で示され、
【数１】
2021510052.tif 000010
ここで、ＣＥＰｖａｌｕｅは前記電力調整値であり、Ｖｔａｒｇｅｔは前記端末が受信された無線交流電力信号の目標電圧であり、Ｖｒｅｃｔは前記端末が受信された無線交流電力信号の実際電圧であり、ａは調整係数であることを特徴とする請求項６又は請求項７に記載の無線充電装置の制御装置。
【請求項１０】
前記装置は、
前記無線充電装置に降圧コンバータ回路が含まれていない場合、前記無線充電装置に接続されている充電器のタイプを確定するタイプ確定モジュールと、
確定されたタイプの充電器が電圧調整機能を備えていない場合、前記電力調整値に基づいて、前記無線交流電力信号の出力周波数とデューティサイクルの中の少なくとも一つを調整して、前記無線交流電力信号の出力電力を調整する第２の制御モジュールと、をさらに含むことを特徴とする請求項６又は請求項７に記載の無線充電装置の制御装置。
【請求項１１】
請求項６から請求項１０のいずれか一項に記載の制御装置を含む無線充電装置。
【発明の詳細な説明】
【技術分野】
【０００１】
本願は２０１８年１１月３０日に提出した中国専利出願２０１８１１４５５８２０．４号の優先権を主張し、上記中国専利出願全ての内容を本願に引用して参考とする。本開示は、無線充電技術分野に関するものであり、特に、無線充電装置の制御方法、制御装置及び無線充電装置に関するものである。
【背景技術】
【０００２】
無線充電技術（Ｗｉｒｅｌｅｓｓ  ｃｈａｒｇｉｎｇ  ｔｅｃｈｎｏｌｏｇｙ）の持続的な発展に伴い、ますます多くのウェアラブルデバイス、移動インテリジェント端末などの端末デバイスは、無線充電技術を利用して充電する。関連技術において、無線充電中の電力調整の方式が効率が低く、大きい電力で充電する時、端末デバイスが発熱する厳重な問題が存在する。
【発明の概要】
【発明が解決しようとする課題】
【０００３】
関連技術に存在する問題を解決解決するために、本開示は、無線充電装置の制御方法、制御装置及び無線充電装置を提供する。
【課題を解決するための手段】
【０００４】
本公開の実施形態に係る第１方面によると、無線充電装置の制御方法を提供し、前記方法は無線充電装置に応用され、前記無線充電装置は、充電器から提供される直流電力信号を無線交流電力信号に変換して、端末に対して無線充電し、
前記方法は、
前記端末が送信する電力調整値を受信し、前記電力調整値は、端末が受信された無線交流電力信号の実際電圧と目標電圧との間の差を示すステップと、
前記電力調整値に基づいて、前記無線交流電力信号の出力電圧と出力周波数の中の少なくとも一つを調整して、前記無線交流電力信号の出力電力を調整するステップと、を含む。
【０００５】
前記方法に対して、実施可能な実現方式において、前記電力調整値に基づいて、前記無線交流電力信号の出力電圧と出力周波数の中の少なくとも一つを調整して、前記無線交流電力信号の出力電力を調整するステップは、
前記電力調整値が前記実際電圧が前記目標電圧より小さいことを示す場合、前記電力調整値に基づいて、前記無線交流電力信号の出力電圧と出力周波数の中の少なくとも一つを調整して、前記無線交流電力信号の出力電力を向上させるステップと、
前記電力調整値が前記実際電圧が前記目標電圧より大きいことを示す場合、前記電力調整値に基づいて、前記無線交流電力信号の出力電圧と出力周波数の中の少なくとも一つを調整して、前記無線交流電力信号の出力電力を低下させるステップと、を含む。
【０００６】
前記方法に対して、実施可能な実現方式において、前記電力調整値に基づいて、前記無線交流電力信号の出力電圧と出力周波数の中の少なくとも一つを調整するステップは、
前記電力調整値が前記実際電圧が前記目標電圧より小さいことを示し、且つ前記無線交流電力信号の出力電圧が電圧限界値より小さい場合、前記無線交流電力信号の出力電圧を向上させるステップと、
前記電力調整値が前記実際電圧が前記目標電圧より小さいことを示し、且つ前記無線交流電力信号の出力電圧が電圧限界値と同じである場合、前記無線交流電力信号の出力周波数を低下させるステップと、
前記電力調整値が前記実際電圧が前記目標電圧より大きいことを示し、且つ前記無線交流電力信号の出力周波数が周波数限界値より小さい場合、前記無線交流電力信号の出力周波数を向上させるステップと、
前記電力調整値が前記実際電圧が前記目標電圧より大きいことを示し、且つ前記無線交流電力信号の出力周波数が周波数限界値と同じである場合、前記無線交流電力信号の出力電圧を低下させるステップと、の中の少なくとも一つのステップを含む。
【０００７】
前記方法に対して、実施可能な実現方式において、前記電力調整値は、数学式１で示される。
【数１】
2021510052.tif 000003
ここで、ＣＥＰｖａｌｕｅは前記電力調整値であり、Ｖｔａｒｇｅｔは前記端末が受信された無線交流電力信号の目標電圧であり、Ｖｒｅｃｔは前記端末が受信された無線交流電力信号の実際電圧であり、ａは調整係数である。
【０００８】
前記方法に対して、実施可能な実現方式において、前記方法は、
前記無線充電装置に降圧コンバータ回路が含まれていない場合、前記無線充電装置に接続されている充電器のタイプを確定するステップと、
確定されたタイプの充電器が電圧調整機能を備えていない場合、前記電力調整値に基づいて、前記無線交流電力信号の出力周波数とデューティサイクルの中の少なくとも一つを調整して、前記無線交流電力信号の出力電力を調整するステップと、をさらに含む。
【０００９】
本公開の実施形態に係る第２方面によると、無線充電装置の制御装置を提供し、前記制御装置は無線充電装置に応用され、前記無線充電装置は、充電器から提供される直流電力信号を無線交流電力信号に変換して、端末に対して無線充電し、
前記装置は、
前記端末が送信する電力調整値を受信し、前記電力調整値は、端末が受信された無線交流電力信号の実際電圧と目標電圧との間の差を示す調整値受信モジュールと、
前記電力調整値に基づいて、前記無線交流電力信号の出力電圧と出力周波数の中の少なくとも一つを調整して、前記無線交流電力信号の出力電力を調整する第１の制御モジュールと、を含む。
【００１０】
前記装置に対して、実施可能な実現方式において、前記第１の制御モジュールは、
前記電力調整値が前記実際電圧が前記目標電圧より小さいことを示す場合、前記電力調整値に基づいて、前記無線交流電力信号の出力電圧と出力周波数の中の少なくとも一つを調整して、前記無線交流電力信号の出力電力を向上させる電力向上サブモジュールと、
前記電力調整値が前記実際電圧が前記目標電圧より大きいことを示す場合、前記電力調整値に基づいて、前記無線交流電力信号の出力電圧と出力周波数の中の少なくとも一つを調整して、前記無線交流電力信号の出力電力を低下させる電力低下サブモジュールと、を含む。
【００１１】
前記装置に対して、実施可能な実現方式において、第１の制御モジュールは、
前記電力調整値が前記実際電圧が前記目標電圧より小さいことを示し、且つ前記無線交流電力信号の出力電圧が電圧限界値より小さい場合、前記無線交流電力信号の出力電圧を向上させる電圧上昇サブモジュールと、
前記電力調整値が前記実際電圧が前記目標電圧より小さいことを示し、且つ前記無線交流電力信号の出力電圧が電圧限界値と同じである場合、前記無線交流電力信号の出力周波数を低下させる周波数低下サブモジュールと、
前記電力調整値が前記実際電圧が前記目標電圧より大きいことを示し、且つ前記無線交流電力信号の出力周波数が周波数限界値より小さい場合、前記無線交流電力信号の出力周波数を向上させる周波数上昇サブモジュールと、
前記電力調整値が前記実際電圧が前記目標電圧より大きいことを示し、且つ前記無線交流電力信号の出力周波数が周波数限界値と同じである場合、前記無線交流電力信号の出力電圧を低下させる電圧低下サブモジュールと、の中の少なくとも一つのサブモジュールを含む。
【００１２】
前記装置に対して、実施可能な実現方式において、前記電力調整値は、数学式１で示される。
【数１】
2021510052.tif 000004
ここで、ＣＥＰｖａｌｕｅは前記電力調整値であり、Ｖｔａｒｇｅｔは前記端末が受信された無線交流電力信号の目標電圧であり、Ｖｒｅｃｔは前記端末が受信された無線交流電力信号の実際電圧であり、ａは調整係数である。
【００１３】
前記装置に対して、実施可能な実現方式において、前記装置は、
前記無線充電装置に降圧コンバータ回路が含まれていない場合、前記無線充電装置に接続されている充電器のタイプを確定するタイプ確定モジュールと、
確定されたタイプの充電器が電圧調整機能を備えていない場合、前記電力調整値に基づいて、前記無線交流電力信号の出力周波数とデューティサイクルの中の少なくとも一つを調整して、前記無線交流電力信号の出力電力を調整する第２の制御モジュールと、をさらに含む。
【００１４】
本公開の実施例で提供される技術方案は、以下のような有益な効果を得ることができる。本公開の実施例で提供される無線充電装置の制御方法、制御装置及び無線充電装置は、端末のバッテリー負荷電力の変化の要求を満足するとともに、端末に対して無線充電する効率を確保し、大きい電力の充電する過程で端末が発熱する厳重な状況が発生することを避けることができるので、適用範囲が広いです。
【００１５】
理解すべきことは、上記の一般的な説明と後述する詳細な説明は、単に例示的で解釈的なものであり、本開示を限定するものではない。
【図面の簡単な説明】
【００１６】
ここの図面は、明細書に併合されて明細書の一部を構成し、本発明に合致する実施例を示し、明細書と一緒に本発明の原理を解釈する。
【図１】一例示的な実施形態による無線充電システムである。
【図２】一例示的な実施形態による無線充電装置の制御方法のフローチャートである。
【図３】一例示的な実施形態による無線充電装置の制御方法のフローチャートである。
【図４】一例示的な実施形態による無線充電装置の制御方法のフローチャートである。
【図５】一例示的な実施形態による無線充電装置の制御装置のブロック図である。
【図６】一例示的な実施形態による無線充電装置の制御装置のブロック図である。
【発明を実施するための形態】
【００１７】
以下、例示的な実施例について詳細に説明し、その実施例を図面に示す。図面について説明するとき、別の説明がない場合、異なる図面での同じ数は同一なまたは類似する要素を示す。以下、例示的な実施例で説明する実施方式は、本発明と一致するすべての実施方式を代表するものではない。逆に、これは添付されている請求の範囲に記載される本発明の一方面と一致する装置及び方法の一例に過ぎない。
【００１８】
図１は、一例示的な実施形態による無線充電システムである。図１に示すように、前記無線充電システムは、無線充電装置１０及び端末に備えられる無線充電モジュール２０を含む。ここで、無線充電装置１０は、送信機１、コントローラ２及び送信コイル３を含むことができ、無線充電モジュール２０は、受信コイル４、受信機５及び無線充電管理機６を含むことができる。無線充電モジュール２０中の受信機５と無線充電管理機６は、端末のシステムプロセッサＫと接続されてシステムプロセッサＫから端末のバッテリーに対して充電するのに必要な充電情報を獲得し、システムプロセッサＫから発送された配置情報に基づいて配置されることができる。
【００１９】
ここで、送信機１は充電器３０に接続されて、充電器３０から提供される直流電力信号を受信し、コントローラ２の制御により直流電力信号を無線交流電力信号に変換し、送信コイル３によって発送される。受信コイル４は、送信コイル３から発送した無線交流電力信号を受信して受信機５に発送する。受信機５は、無線充電管理機６の制御により、無線交流電力信号を端末のバッテリーに対して充電するのに必要な直流充電電力信号に変換させる。無線充電管理機６は、直流充電電力信号に基づいて端末のバッテリーに対して充電し、端末に対して体系的な電源供給をする。
【００２０】
ここで、送信機１は、フルブリッジインバータ回路又はハーフブリッジインバータ回路を含んで、直流電力信号を必要な無線交流電力信号に変換させることができる。受信機５は、整流回路、変調と復調回路を含むことができ、整流回路は、無線交流電力信号を必要な直流充電電力信号に変換し、変調と復調回路は、信号に対して変調と復調する。
【００２１】
図２は、一例示的な実施形態による無線充電装置の制御方法のフローチャートである。上記の方法は、図１に示した無線充電装置に応用されることができ、例えば、コントローラ２によって実行されることができる。前記無線充電装置は、充電器から提供された直流電力信号を無線交流電力信号に変換させ、端末に対して無線充電を行う。図２に示すように、上記の方法は、ステップＳ１１とステップＳ１２を含む。
【００２２】
ステップＳ１１において、端末が送信した電力調整値を受信し、電力調整値は、端末が受信された無線交流電力信号の実際電圧と目標電圧との間の差を示す。ここで、端末は、携帯電話、タブレット、スマート腕時計などであることができる。
【００２３】
ステップＳ１２において、電力調整値に基づいて、無線交流電力信号の出力電圧と出力周波数の中の少なくとも１つに対して調整して、無線交流電力信号の出力電力を調整する。
【００２４】
本公開の実施例で提供される無線充電装置の制御方法は、端末から送信された電力調整値を受信し、電力調整値に基づいて、無線交流電力信号の出力電圧と出力周波数の中の少なくとも１つに対して調整して、無線交流電力信号の出力電力を調整する。上記の方法は、端末のバッテリー負荷電力の変化の要求を満足するとともに、端末に対して無線充電する効率を保証することができ、大きい電力の充電過程の中で端末が発熱する厳重な状況が発生することを避けることができるので、適用される範囲が広い。
【００２５】
実施可能な方法において、端末は、自体の整流回路の出力電圧に基づいて電力調整値を決定することができる。端末は、ＡＳＫ変調（Ａｓｋ  ｍｏｄｕｌａｔｉｏｎ）信号を利用して、電力調整値を無線充電装置にカップリングして、無線充電装置がＡＳＫ変調信号に対して復調して、電力調整値を得る。
【００２６】
実施可能な方法において、電力調整値は、数学式１によって示されることができる。
【数１】
2021510052.tif 000005
ここで、ＣＥＰｖａｌｕｅは前記電力調整値であり、Ｖｔａｒｇｅｔは前記端末が受信された無線交流電力信号の目標電圧であり、Ｖｒｅｃｔは前記端末が受信された無線交流電力信号の実際電圧であり、ａは調整係数である。
【００２７】
ここで、端末の充電要求と無線充電装置の調整能力等に応じて調整係数の値を設定することができる。例えば、ａを１２８に設定されることができるが、本開示は、これに限定されない。
【００２８】
上記実施方式において、端末が受信した無線交流電力信号の目標電圧は、端末中のバッテリーのタイプ、定格容量と制限電圧などの情報によって決定される。また、バッテリーは異なる充電段階（トリクル充電、定電流充電、定電圧充電及び充電終了を含む）で必要される電圧が完全に同一ではないので、バッテリーの異なる充電段階に対して異なる目標電圧を設定することができる。例えば、バッテリーの定電圧充電段階では、目標電圧を４．２ｖに設定し、バッテリーのトリクル充電段階では、目標電圧を３ｖに設定することができる。当業者は、実際の必要に応じて目標電圧を設定することができ、本開示は、これに限定されない。
【００２９】
上記実施方式において、電力調整値の絶対値の大きさは、無線交流電力信号の出力電力に対して調整する程度を表徴することができる。電力調整値の絶対値が大きければ大きいほど、実際電圧と目標電圧との間の差が大きく、無線交流電力信号の出力電力を調整する程度が大きい。電力調整値の絶対値が小さければ小さいほど、実際電圧と目標電圧との間の差が小さく、無線交流電力信号の出力電力を調整する程度が小さい。
【００３０】
実施可能な方法において、端末が送信した電力調整値は、制御エラーパケット（ｃｏｎｔｒｏｌ  ｅｒｒｏｒ  ｐａｃｋｅｔ、ＣＥＰ）に発送されてもよい。ＣＥＰにおいて、電力調整値は、８つのビット（Ｂｉｔ）で示されることができる。ここで、Ｂｉｔ６〜０は、電力調整値の具体的な数値を示すことができ、Ｂｉｔ７は、電力調整値の正と負を示すことができる。
【００３１】
実施可能な方法において、ステップＳ１２で、電力調整値に基づいて、端末が受信された無線交流電力信号の実際電圧と所定の端末の受信しなければならない無線交流電力信号の目標電圧の大きさとの関係を決定できる。さらに、実際電圧と目標電圧との大きさの関係に基づいて、無線交流電力信号の出力電力を向上させるか又は低下するかを決定する。図３は、一例示的な実施形態による無線充電装置の制御方法のフローチャートである。図３に示すように、ステップＳ１２は、ステップＳ１２１とステップＳ１２２を含むことができる。
【００３２】
ステップＳ１２１において、電力調整値が実際電圧が目標電圧より小さいことを示す場合、電力調整値に基づいて、無線交流電力信号の出力電圧と出力周波数の中の少なくとも一つを調整して、無線交流電力信号の出力電力を向上させる。
【００３３】
ステップＳ１２２において、電力調整値が実際電圧が目標電圧より大きいことを示す場合、電力調整値に基づいて、無線交流電力信号の出力電圧と出力周波数の中の少なくとも一つを調整して、無線交流電力信号の出力電力を低下させる。
【００３４】
ここで、電力調整値が実際電圧と目標電圧が同じであることを示す場合、無線交流電力信号の出力電力に対して調整しなくてもよい。
【００３５】
実施可能な方法において、電力調整値が式１によって示され、電力調整値が０より大きい場合、実際電圧が目標電圧より小さいことを確認することができ、消費電力の調整値が０より小さい場合、実際電圧が目標電圧よりも大きいことを確定することができる。
【００３６】
実施可能な方法においては、ステップＳ１２は、次のステップのうち少なくとも一つを含むことができる。
【００３７】
電力調整値が実際電圧が目標電圧より小さいことを示し、且つ無線交流電力信号の出力電圧が電圧限界値より小さい場合、無線交流電力信号の出力電圧を向上させて、無線交流電力信号の出力電力を向上させることができる。
【００３８】
電力調整値が実際電圧が目標電圧より小さいことを示し、且つ無線交流電力信号の出力電圧が電圧限界値と同じである場合、無線交流電力信号の出力周波数を低下させて、無線交流電力信号の出力電力を向上させることができる。
【００３９】
電力調整値が実際電圧が目標電圧より大きいことを示し、且つ無線交流電力信号の出力周波数が周波数限界値より小さい場合、無線交流電力信号の出力周波数を向上させて、無線交流電力信号の出力電力を低下させることができる。
【００４０】
電力調整値が実際電圧が目標電圧より大きいことを示し、且つ無線交流電力信号の出力周波数が周波数限界値と同じである場合、無線交流電力信号の出力電圧を低下させて、無線交流電力信号の出力電力を低下させることができる。
【００４１】
上記実施方式において、無線交流電力信号の出力電力を向上させようとする場合、まず、無線交流電力信号の出力電圧を向上させることができる。出力電圧を電圧限界値まで斜させた後、無線交流電力信号の出力電力を続いて向上させようとする場合、無線交流電力信号の出力周波数を低下させる方式を利用して、無線交流電力信号の出力電力を継続して向上させることができる。これにより、バッテリー負荷電力要求を少ないものから多くまで、無線交流電力信号の出力電力を向上させることに満足できるとともに、無線充電の効率を最も望ましい状態に維持することを保証することができる。
【００４２】
上記実施方式において、無線交流電力信号の出力電力を低下させようとする場合、まず、無線交流電力信号の出力周波数を向上させることができる。出力周波数を周波数限界値まで向上させた後、無線交流電力信号の出力電力を続いて低下させようとする場合、無線交流電力信号の出力電圧を低下させる方式を利用して、無線交流電力信号の出力電力を継続して低下させることができる。
【００４３】
上記の方法を介して、無線交流電力信号の出力電圧と出力周波数を調整する方法を介して無線交流電力信号の出力電力を改変させ、端末が必要となる無線交流電力信号の電力の変化の要求を満足させることができ、端末に対して無線充電する過程で充電効率を常に最も望ましい状態になるように維持することができる。
【００４４】
実施可能な方法において、電力調整値の数値の大きさと調整された出力電圧と出力周波数との間の対応関係を事前に確定することができる。さらに、電力調整値を受信した後、電力調整値の数値の大きさ及び確定された対応関係に基づいて、調整する必要がある出力電圧の幅または出力周波数の幅を確定することができる。
【００４５】
上記実施方式において、異なる電力調整値の数値の大きさの範囲を設定することができ、異なる数値範囲は異なる出力電圧の幅または出力周波数の範囲に対応することができる。例えば、
2021510052.tif 000006
の範囲に設置する場合、出力電圧を２０ｍｖ向上させたり低下させることができ、または出力周波数を２０Ｈｚ向上させたり低下させることができる。
2021510052.tif 000007
の範囲に設置する場合、出力電圧を３０ｍｖ向上させたり低下させることができ、または出力周波数を３０Ｈｚ向上させたり低下させることができる。当業者は、出力電圧と出力周波数の改変しようとする幅に対して設定することができ、本開示は、これに限定されない。
【００４６】
上記実施方式において、電力調整値の数値の大きさに基づいて、上記数値の大きさに対応する出力電圧と出力周波数の幅を確定することができ、さらに、確定された幅に基づいて、無線交流電力信号の出力電力を調整することができる。
【００４７】
図４は、一例示的な実施形態による無線充電装置の制御方法のフローチャートである。実施可能な方法において、図４に示したように、前記方法は、ステップＳ１３とステップＳ１４を含むことができる。
【００４８】
ステップＳ１３において、無線充電装置に降圧コンバータ回路（ＢＵＣＫ回路とも呼ばれる）を含まない場合、無線充電装置と接続された充電器のタイプを確定する。
【００４９】
上記実施方式において、充電器はＤＣＰ充電器、ＱＣ２．０充電器、ＱＣ３．０充電器、ＱＣ４．０充電器及びＰＤの充電器などの無線充電装置に直流電力信号を提供することができる充電器を含むことができる。ここで、ＰＤの充電器、ＱＣ３．０充電器及びＱＣ４．０充電器は電圧調整機能を備える。ＤＣＰの充電器とＱＣ２．０充電器は電圧調整機能を備えていない。
【００５０】
ステップＳ１４において、確定されたタイプの充電器が電圧調整機能を備えていない場合、電力調整値に基づいて、無線交流電力信号の出力周波数とデューティサイクル（Ｄｕｔｙ  Ｃｙｃｌｅ）中の少なくとも一つに対して調整して、無線交流電力信号の出力電力を調整する。
【００５１】
上記実施方式において、充電器がＤＣＰ充電器またはＱＣ２．０充電器である場合、電圧調整機能を備えていないので、この両方のタイプの充電器は、出力周波数及び／またはデューティサイクルを調整する方法を利用して、無線交流電力信号の出力電力を調整することができる。ここで、電力調整値に基づいて、無線交流電力信号の出力電力を低下しようとする場合、まず、無線交流電力信号の出力周波数を向上させることができる。出力周波数を周波数限界値まで向上させた後、無線交流電力信号の出力電力を続いて低下させようとする場合、デューティサイクルを低下させる方式を利用して、無線交流電力信号の出力電力を継続して低下させることができる。電力調整値に基づいて、無線交流電力信号の出力電力を向上させようとする場合、無線交流電力信号の出力周波数を低下させたり、無線交流電力信号のデューティサイクルを向上させることができる。
【００５２】
実施可能な方法において、無線充電装置に降圧コンバータ回路が含まれている場合、無線充電装置に接続されている充電器の種類について識別しなくてもよく、ステップＳ１２の出力電力を調整する方法を直接的に利用して、無線交流電力信号の出力電力を調整することができる。
実施可能な方法において、無線充電装置に降圧コンバータ回路が含まれておらず、無線充電装置に接続されている充電器が電圧調整機能を備える場合、同様に、ステップＳ１２の出力電力を調整する方法を利用して、無線交流電力信号の出力電力を調整することができる。
【００５３】
これにより、接続されている充電器が電圧調整機能を備えているかどうかにかかわらず、本開示で提供される方法は、無線充電装置から送信される無線交流電力信号の出力電力に対して調整できるので、適用される範囲が広いです。
【００５４】
ただし、上記の実施例は、例示的に、無線充電装置の制御方法を上記のように例示しているが、当業者にとって、本開示は、これに限定されないことを理解することができる。事実上、本公開の技術方案にふさわしい場合は、ユーザーは個人的な愛好及び／または実際のアプリケーションのシーンに基づいて、各ステップをスムーズに設定することができます。
【００５５】
図５は、一例示的な実施形態による無線充電装置の制御装置のブロック図である。前記無線充電装置の制御装置は、無線充電装置に応用される。前記無線充電装置は、充電器から提供される直流電力信号を無線交流電力信号に変換して、端末に対して無線充電を行う。図５に示すように、前記無線充電装置の制御装置は、調整値受信モジュール４１と、第１の制御モジュール４２とを含むことができる。上記調整値受信モジュール４１は、端末が送信した電力調整値を受信し、電力調整値は、端末が受信された無線交流電力信号の実際電圧と目標電圧との間の差を示すように配置される。前記第１の制御モジュール４２は、電力調整値に基づいて、無線交流電力信号の出力電圧と出力周波数の中の少なくとも１つに対して調整して、無線交流電力信号の出力電力を調整するように配置される。
【００５６】
図６は、一例示的な実施形態による無線充電装置の制御装置のブロック図である。実施可能な方法において、図６に示すように、第１の制御モジュール４２は、電力向上サブモジュール４２１と、電力低下サブモジュール４２２とを含むことができる。上記電力向上サブモジュール４２１は、電力調整値が実際電圧が目標電圧より小さいことを示す場合、電力調整値に基づいて、無線交流電力信号の出力電圧と出力周波数のうちの少なくとも一つを調整して、無線交流電力信号の出力電力を向上させるように配置される。上記電力低下サブモジュール４２２は、電力調整値が実際電圧が目標電圧より大きいことを示す場合、電力調整値に基づいて、無線交流電力信号の出力電圧と出力周波数のうちの少なくとも一つを調整して、無線交流電力信号の出力電力を低下させるように配置される。
【００５７】
実施可能な方法において、第１の制御モジュール４２は、電圧上昇サブモジュール、周波数低下サブモジュール、周波数上昇サブモジュール及び電圧低下サブモジュールの中の少なくとも一つのサブモジュールを含むことができる。
【００５８】
ここで、前記電圧上昇サブモジュールは、電力調整値が実際電圧が目標電圧より小さいことを示し、且つ無線交流電力信号の出力電圧が電圧限界値より小さい場合、無線交流電力信号の出力電圧を向上させるように配置される。上記周波数低下サブモジュールは、電力調整値が実際電圧が目標電圧より小さく、無線交流電力信号の出力電圧が電圧限界値と同じである場合、無線交流電力信号の出力周波数を低下させるように配置することができる。上記周波数上昇サブモジュールは、電力調整値が実際電圧が目標電圧より大きいことを示し、且つ無線交流電力信号の出力周波数が周波数限界値より小さい場合、無線交流電力信号の出力周波数を向上させるように配置されることができる。上記電圧低下サブモジュールは、電力調整値が実際電圧が目標電圧より大きいことを示し、且つ無線交流電力信号の出力周波数が周波数限界値と同じである場合、無線交流電力信号の出力電圧を低下させるように配置されることができる。
【００５９】
実施可能な方法において、電力調整値は、数学式１によって示されることができる。
【数１】
2021510052.tif 000008
ここで、ＣＥＰｖａｌｕｅは前記電力調整値であり、Ｖｔａｒｇｅｔは前記端末が受信された無線交流電力信号の目標電圧であり、Ｖｒｅｃｔは前記端末が受信された無線交流電力信号の実際電圧であり、ａは調整係数である。
【００６０】
実施可能な方法において、図６に示したように、前記装置は、タイプ確定モジュール４３及び第２の制御モジュール４４を含むことができる。上記タイプ確定モジュール４３は、無線充電装置に降圧コンバータ回路が含まれていない場合、無線充電装置に接続されている充電器のタイプを確定するように配置されることができる。前記第２の制御モジュール４４は、確定されたタイプの充電器が電圧調整機能を備えていない場合、電力調整値に基づいて、無線交流電力信号の出力周波数とデューティサイクルの中の少なくとも一つを調整して、無線交流電力信号の出力電力を調整するように配置されることができる。
【００６１】
本公開の実施例で提供される無線充電装置の制御装置は、端末のバッテリー負荷電力の変化の要求を満足するとともに、端末に対して無線充電する効率を確保し、大きい電力の充電過程の中で端末が発熱される厳重な状況の発生を回避することができるので、適用範囲が広いです。
【００６２】
ただし、上記の実施例は、例示的に、無線充電装置の制御装置を上記のように例示しているが、当業者にとって、本開示は、これに限定されないことを理解することができる。事実上、本公開の技術方案にふさわしい場合は、ユーザーは個人的な愛好及び／または実際のアプリケーションのシーンに基づいて、各モジュールをスムーズに設定することができます。
【００６３】
本公開の実施例では、無線充電装置をさらに提供し、これは前記無線充電装置の制御装置を含む。
【００６４】
当該分野の技術者が明細書を考慮して、開示された内容を実践した後、本開示の他の実施案を容易に考えることができる。本出願は、本開示の任意の変形、用途または適応性の変化をカバーし、これらの変形、用途または適応性の変化は、本開示の一般的な原理に応じて、本開示では開示されていない当該分野の公知常識や慣用技術手段を含む。明細書及び実施例は例示的なものであり、本開示の真の範囲と精神は添付されている請求範囲で示す。
【００６５】
理解すべきことは、本開示は、上記の内容及び図面に示された構造に限定されず、その範囲を逸脱しない限り、各種の変更及び変更を行うことができる。本開示の範囲は、添付されている特許請求の範囲のみによって限定される。
【図１】
2021510052.tif 000011
【図２】
2021510052.tif 000012
【図３】
2021510052.tif 000013
【図４】
2021510052.tif 000014
【図５】
2021510052.tif 000015
【図６】
2021510052.tif 000016
【国際調査報告】
2021510052.tif 000017
2021510052.tif 000018
2021510052.tif 000019
2021510052.tif 000020